(57)【要約】【課題】単純な処理によって、良質な高解像度の画像データを作成可能とする。【解決手段】画像形成装置１内の画像処理装置１４は、多値の画像データにおける注目画素の階調値を、階調数が減少するように変換する階調変換部１４１と、階調変換部１４１で得られた階調値と同一の階調値を再現可能な、所定画素数で構成される画素ブロックを出力することにより、前記画像データよりも高解像度の画像データを作成する解像度変換部１４２と、階調変換部１４１による階調変換前と変換後における階調値の誤差値を、前記注目画素の周辺画素に拡散する処理を行う誤差拡散部１４３と、を備える。【選択図】図１
2007214965.tif 000002
【特許請求の範囲】
【請求項１】
多値の画像データにおける注目画素の階調値を、階調数が減少するように変換する階調変換部と、
前記階調変換部で得られた階調値と同一の階調値を再現可能な所定画素数で構成される画素ブロックを出力することにより、前記画像データよりも高解像度の画像データを作成する解像度変換部と、
前記階調変換部による階調変換前と変換後における階調値の誤差値を、前記注目画素の周辺画素に拡散する処理を行う誤差拡散部と、
を備えることを特徴とする画像処理装置。
【請求項２】
前記階調変換部は、前記注目画素の階調値を、所定の閾値との比較によって変換することを特徴とする請求項１に記載の画像処理装置。
【請求項３】
前記所定の閾値は、操作部の操作により選択可能であることを特徴とする請求項２に記載の画像処理装置。
【請求項４】
前記解像度変換部は、前記画素ブロックが有する各画素の出力順を決定する複数の異なる画素出力順パターンの中から、無作為に画素出力順パターンを選択し、当該選択された画素出力順パターンに従って前記高解像度の画像データを作成することを特徴とする請求項１〜３の何れか一項に記載の画像処理装置。
【請求項５】
前記解像度変換部は、前記画素ブロックが有する各画素の出力順を決定する複数の異なる画素出力順パターンの中から、予め指定された順番で画素出力順パターンを選択し、当該選択された画素出力順パターンに従って前記高解像度の画像データを作成することを特徴とする請求項１〜３の何れか一項に記載の画像処理装置。
【請求項６】
前記誤差拡散部での処理は、前記注目画素の周辺画素における拡散係数を示す拡散係数パターンによって決定され、
前記誤差拡散部で使用される拡散係数パターンは、予め用意された複数の拡散係数パターンの中から、操作部の操作によって選択可能であることを特徴とする請求項１〜５の何れか一項に記載の画像処理装置。
【請求項７】
前記画素ブロック内の各画素は２値画素であることを特徴とする請求項１〜６の何れか一項に記載の画像処理装置。
【請求項８】
原稿を読み取って多値の画像データを生成する画像読取部と、
請求項１〜７の何れか一項に記載の画像処理装置と、
を備えることを特徴とする画像読取装置。
【請求項９】
多値の画像データにおける注目画素の階調値を、階調数が減少するように変換する階調変換工程と、
前記階調変換工程において得られた階調値と同一の階調値を再現可能な所定画素数で構成される画素ブロックを出力することにより、前記画像データよりも高解像度の画像データを作成する解像度変換工程と、
前記階調変換工程における階調変換前と変換後における階調値の誤差値を、前記注目画素の周辺画素に拡散する処理を行う誤差拡散工程と、
を含むことを特徴とする画像処理方法。
【請求項１０】
前記階調変換工程では、前記注目画素の階調値を、所定の閾値との比較によって変換することを特徴とする請求項９に記載の画像処理方法。
【請求項１１】
前記所定の閾値は、操作部の操作により選択可能であることを特徴とする請求項１０に記載の画像処理方法。
【請求項１２】
前記解像度変換工程では、前記画素ブロックが有する各画素の出力順を決定する複数の異なる画素出力順パターンの中から、無作為に画素出力順パターンを選択し、当該選択された画素出力順パターンに従って前記高解像度の画像データを作成することを特徴とする請求項９〜１１の何れか一項に記載の画像処理方法。
【請求項１３】
前記解像度変換工程では、前記画素ブロックが有する各画素の出力順を決定する複数の異なる画素出力順パターンの中から、予め指定された順番で画素出力順パターンを選択し、当該選択された画素出力順パターンに従って前記高解像度の画像データを作成することを特徴とする請求項９〜１１の何れか一項に記載の画像処理方法。
【請求項１４】
前記誤差拡散工程における処理は、前記注目画素の周辺画素における拡散係数を示す拡散係数パターンによって決定され、
前記誤差拡散工程で使用される拡散係数パターンは、予め用意された複数の拡散係数パターンの中から、操作部の操作によって選択可能であることを特徴とする請求項９〜１３の何れか一項に記載の画像処理方法。
【請求項１５】
前記画素ブロック内の各画素は２値画素であることを特徴とする請求項９〜１４の何れか一項に記載の画像処理方法。
【発明の詳細な説明】
【技術分野】
【０００１】
本発明は、低解像度の画像データを高解像度の画像データに変換する画像処理装置と、当該画像処理装置を備えた画像読取装置と、画像処理方法に関する。
【背景技術】
【０００２】
従来より、低解像度の画像データから、所定の画素数で構成される画素ブロックを用いて高解像度の画像データに変換する技術が提案されている。例えば、特許文献１には、作成された高解像度の各画素の多値データを、量子化によって発生する誤差データを用いて補正し、補正された高解像度の各画素の多値データを量子化する技術が開示されている。また、特許文献２には、注目画素及びその周辺画素の位置に対応した閾値マトリックス（各要素に複数の閾値が値順にソートされて配置されたマトリクス）を用いてまとめて解像度変換を行う技術が開示されている。特許文献２では、出力する画素ブロックとして、注目画素及びその周辺画素の位置に対応した固定パターンを使用している。
【特許文献１】特開２００２−２７１６２４号公報
【特許文献２】特開２０００−３３２９９５号公報
【発明の開示】
【発明が解決しようとする課題】
【０００３】
しかしながら、上述の特許文献１に記載の技術は、作成された高解像度の画像データに対して補正及び量子化を行っているため、処理に必要なメモリ容量が多く、処理が複雑であるという問題があった。また、特許文献２に記載の技術は、注目画素及びその周辺画素の位置に対応した閾値マトリクスを用いてまとめて解像度変換を行い、且つ、出力する画素ブロックのパターンとして上記の固定パターンを使用しているため、上述と同様に、処理に必要なメモリ容量が多く、処理が複雑であるという問題があった。
【０００４】
本発明の課題は、単純な処理によって、良質な高解像度の画像データを作成可能とすることである。
【課題を解決するための手段】
【０００５】
請求項１に記載の画像処理装置は、多値の画像データにおける注目画素の階調値を、階調数が減少するように変換する階調変換部と、
前記階調変換部で得られた階調値と同一の階調値を再現可能な所定画素数で構成される画素ブロックを出力することにより、前記画像データよりも高解像度の画像データを作成する解像度変換部と、
前記階調変換部による階調変換前と変換後における階調値の誤差値を、前記注目画素の周辺画素に拡散する処理を行う誤差拡散部と、を備えることを特徴としている。
【０００６】
請求項２に記載の発明は、請求項１に記載の画像処理装置において、前記階調変換部は、前記注目画素の階調値を、所定の閾値との比較によって変換することを特徴としている。
【０００７】
請求項３に記載の発明は、請求項２に記載の画像処理装置において、前記所定の閾値は、操作部の操作により選択可能であることを特徴としている。
【０００８】
請求項４に記載の発明は、請求項１〜３の何れか一項に記載の画像処理装置において、前記解像度変換部は、前記画素ブロックが有する各画素の出力順を決定する複数の異なる画素出力順パターンの中から、無作為に画素出力順パターンを選択し、当該選択された画素出力順パターンに従って前記高解像度の画像データを作成することを特徴としている。
【０００９】
請求項５に記載の発明は、請求項１〜３の何れか一項に記載の画像処理装置において、前記解像度変換部は、前記画素ブロックが有する各画素の出力順を決定する複数の異なる画素出力順パターンの中から、予め指定された順番で画素出力順パターンを選択し、当該選択された画素出力順パターンに従って前記高解像度の画像データを作成することを特徴としている。
【００１０】
請求項６に記載の発明は、請求項１〜５の何れか一項に記載の画像処理装置において、前記誤差拡散部での処理は、前記注目画素の周辺画素における拡散係数を示す拡散係数パターンによって決定され、
前記誤差拡散部で使用される拡散係数パターンは、予め用意された複数の拡散係数パターンの中から、操作部の操作によって選択可能であることを特徴としている。
【００１１】
請求項７に記載の発明は、請求項１〜６の何れか一項に記載の画像処理装置において、前記画素ブロック内の各画素は２値画素であることを特徴としている。
【００１２】
請求項８に記載の画像読取装置は、原稿を読み取って多値の画像データを生成する画像読取部と、請求項１〜７の何れか一項に記載の画像処理装置と、を備えることを特徴としている。
【００１３】
請求項９に記載の画像処理方法は、多値の画像データにおける注目画素の階調値を、階調数が減少するように変換する階調変換工程と、
前記階調変換工程において得られた階調値と同一の階調値を再現可能な所定画素数で構成される画素ブロックを出力することにより、前記画像データよりも高解像度の画像データを作成する解像度変換工程と、
前記階調変換工程における階調変換前と変換後における階調値の誤差値を、前記注目画素の周辺画素に拡散する処理を行う誤差拡散工程と、を含むことを特徴としている。
【００１４】
請求項１０に記載の発明は、請求項９に記載の画像処理方法において、前記階調変換工程では、前記注目画素の階調値を、所定の閾値との比較によって変換することを特徴としている。
【００１５】
請求項１１に記載の発明は、請求項１０に記載の画像処理方法において、前記所定の閾値は、操作部の操作により選択可能であることを特徴としている。
【００１６】
請求項１２に記載の発明は、請求項９〜１１の何れか一項に記載の画像処理方法において、前記解像度変換工程では、前記画素ブロックが有する各画素の出力順を決定する複数の異なる画素出力順パターンの中から、無作為に画素出力順パターンを選択し、当該選択された画素出力順パターンに従って前記高解像度の画像データを作成することを特徴としている。
【００１７】
請求項１３に記載の発明は、請求項９〜１１の何れか一項に記載の画像処理方法において、前記解像度変換工程では、前記画素ブロックが有する各画素の出力順を決定する複数の異なる画素出力順パターンの中から、予め指定された順番で画素出力順パターンを選択し、当該選択された画素出力順パターンに従って前記高解像度の画像データを作成することを特徴としている。
【００１８】
請求項１４に記載の発明は、請求項９〜１３の何れか一項に記載の画像処理方法において、前記誤差拡散工程における処理は、前記注目画素の周辺画素における拡散係数を示す拡散係数パターンによって決定され、
前記誤差拡散工程で使用される拡散係数パターンは、予め用意された複数の拡散係数パターンの中から、操作部の操作によって選択可能であることを特徴としている。
【００１９】
請求項１５に記載の発明は、請求項９〜１４の何れか一項に記載の画像処理方法において、前記画素ブロック内の各画素は２値画素であることを特徴としている。
【発明の効果】
【００２０】
本発明によれば、元の画像データから、単純な処理で、階調や画質を保持した良質な高解像度の画像データを作成することが可能となる。
【００２１】
また、階調変換に使用する閾値を選択可能としたことにより、出力される画質を微調整することができる。
【００２２】
更に、複数の画素出力順パターンの中から、無作為に画素出力順パターンを選択することにより、テクスチャを防止することが可能となる。
【００２３】
また、複数の画素出力順パターンの中から、予め指定された順番で画素出力順パターンを選択することにより、各画素の出力順を細かく管理するニーズに応えることが可能となる。
【００２４】
更に、複数の拡散係数パターンの中から、誤差拡散に使用する拡散係数パターンを選択可能としたことにより、誤差拡散方法を細かく管理するとともに、誤差拡散方法における自由度を高めることが可能となる。
【発明を実施するための最良の形態】
【００２５】
以下、図面を参照して、本発明の実施形態について説明する。
まず、本実施形態における構成について説明する。
【００２６】
図１に、本実施形態に係る画像形成装置１の構成を示す。画像形成装置１は、図１に示すように、ＣＰＵ（Central Processing Unit）１０、ＲＯＭ（Read Only Memory）１１、ＲＡＭ（Random Access Memory）１２、画像読取部１３、画像処理装置１４、メモリ制御部１５、画像メモリ１６、画像形成部１７、搬送部１８、操作部１９により構成され、各部はバス２０により相互に接続される。
【００２７】
ＣＰＵ１０は、ＲＯＭ１１に格納された制御プログラムに従って、画像形成装置１の各部の動作を制御する。
【００２８】
ＲＯＭ１１は、ＣＰＵ１０によって実行される、画像形成装置１の動作に係る各種機能を実現するための制御プログラムと、当該制御プログラムの実行時に使用されるデータを記憶する。例えば、ＲＯＭ１１は、画像処理装置１４での階調変換処理で使用する閾値や階調変換ＬＵＴ（Look Up Table）のデータ、解像度変換処理で使用する画素出力順パターンのデータ（図５参照）、誤差拡散処理で使用する拡散係数パターンのデータ（図７参照）を記憶している。
【００２９】
ＲＡＭ１２は、ＣＰＵ１０によって実行される各種制御プログラムをプログラム格納エリアに展開し、入力されたデータや、各種制御プログラムの実行時に生じる処理結果等のデータをワークエリアに一時的に記憶する。
【００３０】
画像読取部１３は、スキャナ等により構成され、スキャナにより原稿の画像情報を読み取って画像データを生成する。具体的に、画像読取部１３は、透明なコンタクトガラスに載置された原稿を、光源からの照明により走査し、その反射光をＣＣＤ（Charge Coupled Device）により結像して光電変換することにより多値の画像データを生成し、画像処理装置１４に出力する。
【００３１】
画像処理装置１４は、入力された多値の画像データに対し、変倍処理、フィルタ処理、ガンマ変換処理等の各種画像処理を施す。また、画像処理装置１４は、階調変換部１４１、解像度変換部１４２、誤差拡散部１４３を有し、処理対象の画像データに対し、それぞれ、閾値との比較により階調変換する階調変換、高解像度の画像データに変換する解像度変換、誤差拡散処理を実行する。以下、階調変換部１４１、解像度変換部１４２、誤差拡散部１４３における処理の詳細を説明する。
【００３２】
階調変換部１４１は、画像読取部１３から入力された多値の画像データの注目画素の階調値を、階調数が減少するように変換する。具体的に、階調変換部１４１は、ＲＯＭ１１に記憶された閾値のデータを読み出して画像処理装置１４内部の閾値レジスタ（図示略）に保持し、注目画素の階調値を、閾値レジスタに保持された閾値との比較によって変換する。なお、階調変換で用いる閾値は、ユーザによる操作部１９の操作により選択可能としてもよい。また、閾値に限らず、ＲＯＭ１１に記憶された階調変換ＬＵＴを用いて変換するようにしてもよい。
【００３３】
解像度変換部１４２は、階調変換部１４１における階調変換で得られた階調値と同一の階調値を再現可能な画素ブロックを出力することにより、入力された画像データよりも高解像度の画像データを作成する。なお、高解像度の画像データを作成するか否かは、操作部１９の操作により選択可能とし、高解像度の画像データの作成が選択された場合に、解像度変換部１４２による処理を行うようにしてもよい。
【００３４】
図２に、階調変換部１４１による階調変換及び解像度変換部１４２による解像度変換の一例を示す。図２では、入力された６００ｄｐｉの多値の画像データの注目画素が、５０％の階調値に変換されて６００ｄｐｉの５値の画素となり、この画素と同一の階調値を再現する４画素ブロックの２値画像データ（１２００ｄｐｉ）が作成された例を示している。
【００３５】
このように、入力された元の画像のデータの１画素を、ｎ×ｍ画素から構成される画素ブロック（ｎ≧１、ｍ≧１の整数）により変換することにより、高解像度の画像データが作成される。画素ブロックは、入力される元の画像データと、作成される高解像度の画像データのサイズから決定される。例えば、６００ｄｐｉの画像データから１２００ｄｐｉの画像データを作成する場合、図３（ａ）に示すように、６００ｄｐｉの画像データの１画素を、縦×横を２×２とした４画素ブロックに変換することにより、１２００ｄｐｉの画像データを作成することができる。
【００３６】
また、２００×２００ｄｐｉの画像データから、２００×３００ｄｐｉの画像データへ変換するように、整数倍の画素ブロックへ変換することができない場合には、図３（ｂ）に示すように、２００×２００ｄｐｉの画像データの１画素を、縦×横を１×１とした１画素ブロックと、縦×横を１×２とした２画素ブロックとで交互に変換することにより、２００×３００ｄｐｉの画像データを作成することができる。
【００３７】
所定の閾値との比較による階調変換によって出力される階調値（以下、出力階調値と呼ぶ。）の階調数は、作成する高解像度の画像データの階調数と、画素ブロックを構成する画素の数（以下、画素ブロック数と呼ぶ。）ｎ×ｍにより決定される。例えば、６００ｄｐｉの多値画像データから１２００ｄｐｉの２値画像データを作成する場合、注目画素から作成される画素ブロックは、縦×横が２×２の４画素ブロックであり、この４画素ブロックで再現可能な階調値は、図４に示すように５値（０％、２５％、５０％、７５％、１００％）であることから、閾値との比較による注目画素の階調変換は５値の出力となる。従って、出力階調値の階調数は、式（１）のように算出される。
出力階調値の階調数
＝｛（高解像度画像データの階調数―１）×画素ブロック数｝＋１    …（１）
図４では、高解像度画像データの階調数＝２、画素ブロック数＝４ゆえ、式（１）より、出力階調値の階調数は５となる。
【００３８】
画素ブロックの各画素を出力する際、画素ブロックを構成する各画素の出力順を決定する画素出力順パターンに従って出力する。ＲＯＭ１１には、図５に示すような複数の異なる画素出力順パターンのデータ（パターン０〜１１）が記憶されている。図５において、各画素出力順パターンの各画素に示された数字は画素の出力順を示しており、この数字の順番で黒画素から出力される。
【００３９】
解像度変換部１４２は、ＲＯＭ１１に記憶された複数の画素出力順パターンの中から、乱数発生器（図示略）で生成される乱数に基づいて無作為に画素出力順パターンを選択して、画像処理装置１４内の出力順レジスタ（図示略）に保持し、その保持された画素出力順パターンに示された出力順で各画素を出力する。また、ユーザによる操作部１９の操作によって予め指定された順番で画素出力順パターンを選択するようにしてもよい。
【００４０】
図６に、図５に示された複数の画素出力順パターンのうち、パターン３が選択された場合の出力例を示す。図６に示すように、２値の４画素ブロックで５０％の階調値を再現するには、４画素ブロックのうちの２画素が黒画素となるが、パターン３で示された数字の小さい順番で黒画素となるので、右下、左上の順番で黒画素が出力され、黒画素の出力後、右上、左下の順番で白画素が出力される。
【００４１】
誤差拡散部１４３は、階調変換部１４１での階調変換前と変換後における注目画素の階調値の誤差値を画像処理装置１４内のバッファメモリ（図示略）に保持し、その誤差値を、未処理の周辺画素に拡散して各周辺画素の階調値に加算する誤差拡散処理を行う。誤差値の拡散方法は、注目画素の周辺画素の拡散係数を元に決定される。図７に、拡散係数パターンの一例（係数パターン１〜５）を示す。ＲＯＭ１１には、図７に示すような複数の異なる拡散係数パターンのデータが記憶されている。誤差拡散部１４３は、ユーザによる操作部１９の操作により予め選択された拡散係数パターンを、画像処理装置１４内の係数パターンレジスタ（図示略）に保持し、バッファメモリに保持された誤差値に、係数パターンレジスタに保持された拡散係数パターンに示された各係数を乗算し、その乗算値を各周辺画素の元の階調値に加算する。
【００４２】
なお、階調変換部１４１、解像度変換部１４２、誤差拡散部１４３での各処理は、作成される高解像度の画像データの階調数（２値、多値）に関らず実行可能である。図８に、作成される高解像度の画像データが多値である場合の出力例を示す。図８では、入力された６００ｄｐｉの多値の画像データの注目画素が７０％の階調値に変換され、画素出力順パターンとして図５のパターン３が選択された場合に、７０％の階調値を再現する４画素ブロックの多値の画像データ（１２００ｄｐｉ）が作成された例を示している。図８の４画素ブロックでは、７０％の階調値を再現するために、０番目と１番目の画素（右下、左上の画素）において黒画素を出力することによって５０％の階調値とし、２番目の画素（右上の画素）において残りの２０％の階調値を出力し、３番目の画素において白画素を出力する例を示している。
【００４３】
図１に戻る。メモリ制御部１５は、画像データの読み出し及び書き込みの際の画像メモリ１６へのアクセスを制御する。画像メモリ１６は、不揮発性の記憶媒体で構成されており、画像処理装置１４で処理された画像データを記憶する。
【００４４】
画像形成部１７は、ＣＰＵ１０からの印刷制御信号に従って、所定の印刷方式（例えば、電子写真方式やインクジェット方式）で、転写紙に画像を形成する。搬送部１８は、複数のローラにより画像形成前及び形成後の転写紙の搬送を行う。
【００４５】
操作部１９は、数字キーやスタートキー等の各種機能キー、ＬＣＤ（Liquid Crystal Display）等の表示画面と一体に構成されるタッチパネルを備えて構成されており、キー操作に対応する操作信号、タッチパネルでの入力操作に応じた操作信号をＣＰＵ１０に出力する。
【００４６】
次に、本実施形態における動作について説明する。
図９のフローチャートを参照して、画像処理装置１４において実行される画像処理について説明する。
【００４７】
まず、画像処理装置１４に入力された画像データのうち、処理対象となる注目画素が読み出され（ステップＳ１）、階調変換部１４１において、当該注目画素に対する階調変換が施される（ステップＳ２）。次いで、ＲＯＭ１１に記憶された複数の異なる画素出力順パターン（図５参照）の中から、無作為又は予め指定された順番で画素出力順パターンが選択される（ステップＳ３）。
【００４８】
次いで、ステップＳ２の階調変換で得られた注目画素の階調値と、ステップＳ３で選択された画素出力順パターンを元に、当該階調値と同一の階調値を再現する画素ブロックを出力する解像度変換が行われる（ステップＳ４）。次いで、ステップＳ２の階調変換前と変換後における注目画素の階調値の誤差値を、予め選択された拡散係数パターンに基づいて当該注目画素の周辺画素に拡散する誤差拡散処理が行われる（ステップＳ５）。
【００４９】
次いで、ステップＳ４での解像度変換が、処理対象となる画像データの全画素に対して終了したか否かが判定される（ステップＳ６）。ステップＳ６において、全画素に対する処理が終了していないと判定された場合（ステップＳ６；ＮＯ）、ステップＳ１に戻り、次に処理対象となる注目画素に対し、ステップＳ１〜Ｓ５の処理が繰り返される。ステップＳ６において、全画素に対する処理が終了したと判定された場合（ステップＳ６；ＹＥＳ）、本画像処理が終了する。
【００５０】
以上のように、本実施形態の画像形成装置１によれば、元の画像データから、単純な処理で、階調や画質を保持した高解像度の画像データを作成することが可能となる。
【００５１】
また、閾値との比較により階調変換を行う場合、階調変換に使用する閾値を選択可能としたことにより、出力される画質を微調整することができる。
【００５２】
更に、複数の画素出力順パターンの中から、無作為に画素出力順パターンを選択することにより、テクスチャを防止することが可能となる。
【００５３】
また、複数の画素出力順パターンの中から、予め指定された順番で画素出力順パターンを選択することにより、各画素の出力順を細かく管理するニーズに応えることが可能となる。
【００５４】
更に、複数の拡散係数パターンの中から、誤差拡散に使用する拡散係数パターンを選択可能としたことにより、誤差拡散方法を細かく管理するとともに、誤差拡散方法における自由度を高めることが可能となる。
【図面の簡単な説明】
【００５５】
【図１】本発明の実施形態に係る画像形成装置の主要部構成を示すブロック図。
【図２】低解像度の多値画像データから、画素ブロックを用いて高解像度の２値画像データを作成する場合の出力例を示す図。
【図３】低解像度の画像データと、高解像度の画像データとの関係を示す図。
【図４】画素ブロックの階調値を示す図。
【図５】画素ブロックが有する各画素の出力順を決定する画素出力順パターンを示す図。
【図６】低解像度の多値画像データから、画素ブロックを用いて高解像度の２値画像データを作成する場合の出力例を示す図。
【図７】誤差拡散処理で使用する拡散係数パターンを示す図。
【図８】低解像度の多値画像データから、画素ブロックを用いて高解像度の多値画像データを作成する場合の出力例を示す図。
【図９】画像処理装置において実行される画像処理を示すフローチャート。
【符号の説明】
【００５６】
１  画像形成装置
１０  ＣＰＵ
１１  ＲＯＭ
１２  ＲＡＭ
１３  画像読取部
１４  画像処理装置
１４１  階調変換部
１４２  解像度変換部
１４３  誤差拡散部
１５  メモリ制御部
１６  画像メモリ
１７  画像形成部
１８  搬送部
１９  操作部
【図１】
2007214965.tif 000003
【図２】
2007214965.tif 000004
【図３】
2007214965.tif 000005
【図４】
2007214965.tif 000006
【図５】
2007214965.tif 000007
【図６】
2007214965.tif 000008
【図７】
2007214965.tif 000009
【図８】
2007214965.tif 000010
【図９】
2007214965.tif 000011